(57)【要約】【課題】結露水を確実に吸水体に吸収させることができる安全なスチームノズルを提供すること。【解決手段】ノズル本体２におけるスチーム通路Ｐの最狭部１６の出口側に設けられた吸水体５と、最狭部１６から吸水体５へ結露水を導く導水体４とを有し、この導水体４が、前記最狭部１６の内径よりも細い金属線を折り曲げて形成されると共に、スチーム通路Ｐの内周面下側に沿ってスチーム通路Ｐと平行に配される第一導水部１７と、最狭部１６の出口から下方に延びて配される第二導水部１８を有するスチームノズル１において、最狭部１６の内周面下部に隙間部としてのスリット状の切欠部１１，１４が設けられ、これらの切欠部１１，１４の近傍に各導水部１７，１８が設けられることで、最狭部１６に生じた結露水を切欠部１１，１４によって確実に吸水体５まで導いて吸収するので、結露水が勢いよく噴出して顔等にかかるのを抑制することができる。【選択図】図２
2020195417.tif 000002
【特許請求の範囲】
【請求項１】
ノズル本体と、このノズル本体におけるスチーム通路の最狭部の出口側に設けられた吸水体と、前記スチーム通路の最狭部から前記吸水体へ結露水を導く導水部が設けられた導水体とを有し、この導水体が、前記最狭部の内径よりも細い金属線を折り曲げて形成され、前記導水部が、第一導水部と第二導水部を有し、前記第一導水部が、前記スチーム通路の内周面における使用時に下側となる部分に沿って前記スチーム通路と平行に配され、前記第二導水部が、前記スチーム通路の最狭部の出口から使用時に下側となる方向に延びて配されるスチーム式美容器において、
前記最狭部の内周面における使用時に下側となる部分に隙間部が設けられ、この隙間部の近傍に前記導水体の導水部が設けられることを特徴とするスチームノズル。
【請求項２】
前記スチーム経路の最狭部が筒状のスリーブで構成されると共に、このスリーブに前記隙間部が形成されることを特徴とする請求項１記載のスチームノズル。
【請求項３】
前記隙間部がスリット形状とされることを特徴とする請求項２記載のスチームノズル。
【請求項４】
前記隙間部が凹形状とされることを特徴とする請求項２記載のスチームノズル。
【請求項５】
前記隙間部が毛細管現象を生じる寸法とされることを特徴とする請求項１から４の何れか一項に記載のスチームノズル。
【発明の詳細な説明】
【技術分野】
【０００１】
本発明は、水を加熱して発生させたスチームを肌に向けて噴射するスチーム式美容器等で用いられるスチームノズルに関するものである。
【背景技術】
【０００２】
従来、この種のスチームノズルとしては、蒸気発生装置で発生させた蒸気を、ノズルから被施術者の顔に吹き付けるスチーム式美容器等で用いられるものが知られている（例えば、特許文献１参照。）。このようなスチーム式美容器では、前記ノズルで蒸気が結露して高温の水滴になり、この水滴が蒸気流と共に前記ノズルから噴出して被施術者の顔にかかる虞があるので、前記ノズルのスチーム通路の出口側に吸水体を設けると共に、前記スチーム通路に水滴を前記給水体に導くための導水体を設け、前記吸水体によって水滴を吸水することで、水滴が前記ノズルから噴出しないように構成されている。
【先行技術文献】
【特許文献】
【０００３】
【特許文献１】特許第５３２０１４９号公報
【発明の概要】
【発明が解決しようとする課題】
【０００４】
しかしながら、このようなスチーム式美容器においては、前記吸水体に吸収可能な結露水の量に対して、噴出されるスチーム流に押し出される高温の結露水の量が多くなると、前記吸水体に結露水を吸収しきれず、この吸水体を飛び超えて熱い水滴が噴出される虞があった。
【０００５】
本発明は以上の問題点を解決し、結露水を確実に吸水体に吸収させることができる安全なスチーム式美容器を提供することを目的とする。
【課題を解決するための手段】
【０００６】
本発明の請求項１に記載のスチーム式美容器は、ノズル本体と、このノズル本体におけるスチーム通路の最狭部の出口側に設けられた吸水体と、前記スチーム通路の最狭部から前記吸水体へ結露水を導く導水部が設けられた導水体とを有し、この導水体が、前記最狭部の内径よりも細い金属線を折り曲げて形成され、前記導水部が、第一導水部と第二導水部を有し、前記第一導水部が、前記スチーム通路の内周面における使用時に下側となる部分に沿って前記スチーム通路と平行に配され、前記第二導水部が、前記スチーム通路の最狭部の出口から使用時に下側となる方向に延びて配されるスチームノズルにおいて、前記最狭部の内周面における使用時に下側となる部分に隙間部が設けられ、この隙間部の近傍に前記導水体の導水部が設けられるものである。
【０００７】
また、本発明の請求項２に記載のスチームノズルは、請求項１において、前記スチーム経路の最狭部が筒状のスリーブで構成されると共に、このスリーブに前記隙間部が形成されるものである。
【０００８】
また、本発明の請求項３に記載のスチームノズルは、請求項２において、前記隙間部がスリット形状とされるものである。
【０００９】
また、本発明の請求項４に記載のスチームノズルは、請求項２において、前記隙間部が凹形状とされるものである。
【００１０】
更に、本発明の請求項５に記載のスチーム式美容器は、請求項１から４のいずれか一項において、前記隙間部が毛細管現象を生じる寸法とされるものである。
【発明の効果】
【００１１】
本発明の請求項１に記載のスチーム式美容器は、以上のように構成することにより、前記スチーム通路の最狭部に発生した結露水が、前記最狭部の内壁に沿って流下し、前記隙間部に導かれて前記吸水体に至り、この吸水体で吸収されるので、結露水を確実に前記吸水体まで導いて、熱い結露水が勢いよく噴出して顔等にかかることを抑制することができる。また、前記隙間部によって、前記吸水体に導かれる結露水の量が多くなるので、結露水の発生が多くなっても、確実に前記吸水体に結露水を吸水させることができる。更に、前記隙間部においても結露水を保持することができるので、熱い結露水が噴出することをより確実に抑制することができる。
【００１２】
なお、前記スチーム経路の最狭部が筒状のスリーブで構成されると共に、このスリーブに前記隙間部が形成されることで、間隙寸法の小さな隙間部を容易に構成することができる。
【００１３】
また、前記隙間部がスリット形状とされることで、前記最狭部の内壁に沿って前記隙間部に導かれる結露水を、効率的に前記導水体の導水部に沿わせることができるので、結露水を確実に前記吸水体まで導くことができる。
【００１４】
また、前記隙間部が凹形状とされることで、前記最狭部の強度を保ちつつ、結露水を前記導水体の導水部から前記吸水体に導くことができる。
【００１５】
更に、前記隙間部が毛細管現象を生じる寸法とされることで、前記隙間部に導かれた結露水を確実に前記吸水体まで導くことができる。
【図面の簡単な説明】
【００１６】
【図１】本発明の第一の実施形態を示すスチームノズルの軸方向下流側から見た外観図である。
【図２】同、断面図であり、（ａ）はＡ−Ａ断面図、（ｂ）はＢ−Ｂ断面図である。
【図３】同、導水体の拡大斜視図である。
【図４】本発明の第二の実施形態を示すスチームノズルの軸方向下流側から見た外観図である。
【図５】同、断面図であり、（ａ）はＡ’−Ａ’断面図、（ｂ）はＢ’−Ｂ’断面図である。
【発明を実施するための形態】
【００１７】
以下、本発明の第一の実施形態について、図１乃至図３に基づいて説明する。なお、本実施形態において、図２（ａ）の左側を前、右側を後と規定する。１は本発明のスチームノズルである。このスチームノズル１は、ノズル本体２と、スリーブ３と、導水体４と、吸水体５と、スチームパイプ６とを有する。なお、このスチームパイプ６は、図示しないスチーム発生手段に接続される。そして、前記スチーム発生手段が発生させたスチームが、前記スチームノズル１内に設けられたスチーム通路Ｐを通過して噴出される。
【００１８】
前記ノズル本体２は、合成樹脂によって形成される。そして、前記ノズル本体２は、後側の径小部７と、前側の径大部８と、これら径小部７と径大部８との間に設けられる段差部９とを有する。前記径小部７は、軸方向両端が開放した短円筒状に形成される。そして、前記径小部７の内面には、フランジ状の位置決めリブ１０が形成される。なお、この位置決めリブ１０の下部には、隙間部としてのスリット状の切欠部１１が形成される。本発明において、スリット状とは、完全に切り離された状態を示す。即ち、前記位置決めリブ１０は、前記切欠部１１によって軸回り方向に切り離される。更に、前記位置決めリブ１０の中央部には、スチームの通孔１２が形成される。即ち、前記切欠部１１と通孔１２は繋がる。また、前記径大部８は、前記径小部７よりも径大で且つ軸方向両端が開放した短円筒状に形成される。そして、前記径大部８の前端が噴出口１３となる。更に、前記段差部９は、前記径小部７の前端から外側に、且つ前記径大部８の後端から内側に、フランジ状に突出して形成される。
【００１９】
前記スリーブ３は、真鍮等の金属により、軸方向両端が開放した略円筒状に形成されると共に、前記径小部７に挿入される。そして、前記スリーブ３の後端は、前記位置決めリブ１０に当接して位置決めされる。この状態で、前記スリーブ３の前端は、前記径小部７の前端とほぼ同じ位置にある。また、前記スリーブ３の下部には、隙間部としてのスリット状の切欠部１４が形成される。即ち、前記スリーブ３は、スリット状の切欠部１１によって軸回り方向に切り離され、図２（ｂ）に示すように、軸直断面形状がＣ字状となる。更に、前記スリーブ３の中央部には、軸方向に通孔１５が形成される。即ち、前記切欠部１４と通孔１５は繋がる。なお、前記位置決めリブ１０の通孔１２と前記スリーブ３の通孔１５は略同径である。従って、前記通孔１２と通孔１５の位置が、スチーム通路Ｐの最狭部１６となる。また、前記位置決めリブ１０の切欠部１１と前記スリーブ３の切欠部１４は連通する。
【００２０】
前記導水体４は、前記スチーム通路Ｐを通るように取り付けられる。前記導水体４は、前記スリーブ３の通孔１５、即ち前記最狭部１６の内径よりも細い一本の金属線を折り曲げて形成される。このため、前記導水体４は容易に且つ安価に形成される。そして、前記導水体４は、図２（ａ）及び図３に示すように、前記スチーム通路Ｐの軸方向とほぼ平行となる直線状の第一導水部１７と、この第一導水部１７の出口側に軸直方向で且つ下方に折り曲げられて形成される直線状の第二導水部１８と、前記第一導水部１７の入口側に下方に折り曲げられて形成される直線状の戻水部１９と、前記第二導水部１８の先端部から前記スチーム通路Ｐの軸回りに延びる環状部２０とを有して構成される。そして、前記第一導水部１７は、前記切欠部１１，１４と平行に配される。また、前記第二導水部１８は、前記切欠部１４と平行に配される。
【００２１】
前記吸水体５は、フェルト等の吸水性材料で環状に形成されると共に、径大部８の内側で且つ前記段差部９の前側に挿入される。なお、この吸水体５の外径は、前記径大部８の内径とほぼ等しく形成される。また、前記吸水体５の内径は、前記径小部７の内径よりも大きく形成される。
【００２２】
前記スチームパイプ６は、シリコンゴム等、耐熱性及び可撓性を有する材質で構成される。このように、前記スチームパイプ６が耐熱性及び可撓性を有することで、高温のスチームを通すことが可能となり、また、前記スチームノズル１の向きを変えることができる。
【００２３】
次に、本実施形態の作用について説明する。まず、図示しないスチーム発生手段によってスチームを発生させると共に、発生したスチームを前記スチーム通路Ｐに送る。前記スチームは、前記スチームパイプ６からノズル本体２の通孔１２、スリーブ３の通孔１５を通って、前記スチームノズル１の噴出口１３から前記スチーム通路Ｐの中心軸線方向にスチームが噴出する。
【００２４】
前記スチームノズル１からスチームを噴射させ続けると、前記スチーム通路Ｐ内でスチームが凝縮し、高温で液体状の結露水が発生する。そして、この結露水の水滴が多数結合すると、この水滴が大きく成長し、スチーム流に押し出される虞がある。しかしながら、前記導水体４の第一導水部１７が、最狭部１６である前記位置決めリブ１０の通孔１２の内周面における下側、及び最狭部１６である前記スリーブ３の通孔１５の内周面における下側に近接しているので、重力によって前記通孔１２，１５の内周面に沿って流下した水滴は、毛細管現象によって、前記切欠部１１，１４の縁と前記第一導水部１７とで形成された微小な隙間に広い範囲で吸引保持される。また、結露水は、毛細管現象によって、前記位置決めリブ１０の切欠部１１及び前記スリーブ３の切欠部１４にも吸引保持される。この状態では、結露水は、前記スチーム通路Ｐの流通面積（前記通孔１２，１５の流通面積）を殆ど狭めないので、スチーム流が結露水を勢いよく押し出すことがない。そして、更に結露水が流下して前記隙間に結露水が溜まると、この溜まった結露水がスチーム流に押されて、前記隙間から押し出される。この押し出された結露水は、前記第一導水部１７に接しているので、この第一導水部１７に沿って前記スリーブ３（最狭部１６）の前端部から外側に移動する。そして、前記第一導水部１７に沿って外側に移動した結露水は、前記第一導水部１７と一体に設けられた前記第二導水部１８に沿って、下方に、即ち前記吸水体５に向かって流れる。更に、この第二導水部１８に沿って流れた結露水は、前記第二導水部１８と接する前記吸水体５に吸収される。このように、結露水が前記導水体４に沿って前記吸水体５に送られるので、熱い結露水が前記スチームノズル１の噴出口１３から勢いよく噴出して顔等にかかることを抑制することができる。
【００２５】
なお、前記結露水は、前記切欠部１１，１４を経由して前記吸水体５に送られるようにすることもできる。この場合、前記切欠部１１，１４の縁と前記第一導水部１７との間の微少な隙間だけでなく、前記切欠部１１，１４経由でも結露水を前記吸水体５に送ることができるので、効率よく結露水を前記吸水体５に吸収させることができる。この結果、結露水をより確実に前記スチームノズル１の噴出口１３から噴出させないようにすることができる。
【００２６】
また、前記吸水体５が吸水能力の限界を超えた場合、吸収しきれなかった結露水が水滴となって前記噴出口１３から噴出する虞があった。しかしながら、前述したように、前記切欠部１１，１４に結露水が吸引保持されるので、前記吸水体５が吸水能力の限界を超えた場合、吸収しきれなかった結露水が前記切欠部１１，１４に貯められることになる。そして、この切欠部１１，１４に保持可能な水量を超えると、結露水は、前記切欠部１１を通って前記スチームパイプ６に戻される。なお、前記スチーム通路Ｐは、前記位置決めリブ１０及びスリーブ３の位置において最狭部１６となる、即ちこの最狭部１６において段差状に流通面積が絞られるので、この最狭部１６よりも上流側の水滴が前記最狭部１６を通って前記噴出口１３から噴出することはない。更に、前記切欠部１１，１４の縁と第一導水部１７との間の微少な隙間に溜まった結露水は、前記第一導水部１７及び戻水部１９に沿って、前記スチームパイプ６内に戻される。この際、前述したように、前記戻水部１９が下方に曲げられるので、重力によって前記結露水の水滴を確実に前記スチームパイプ６内に戻すことができる。
【００２７】
以上のように本発明は、ノズル本体２と、このノズル本体２におけるスチーム通路Ｐの最狭部１６の出口側に設けられた吸水体５と、前記スチーム通路Ｐの最狭部１６から前記吸水体５へ結露水を導く導水部が設けられた導水体４とを有し、この導水体４が、前記最狭部１６の内径よりも細い金属線を折り曲げて形成され、前記導水部が、第一導水部１７と第二導水部１８を有し、前記第一導水部１７が、前記スチーム通路Ｐの内周面における使用時に下側となる部分に沿って前記スチーム通路Ｐと平行に配され、前記第二導水部１８が、前記スチーム通路Ｐの最狭部１６の出口から使用時に下側となる方向に延びて配されるスチームノズル１において、前記最狭部１６の内周面における使用時に下側となる部分に隙間部としてのスリット状の切欠部１１，１４が設けられ、この切欠部１１，１４の近傍に前記導水体４の導水部１７，１８が設けられることで、前記スチーム通路Ｐの最狭部１６に発生した結露水が、前記最狭部１６の内壁に沿って流下し、前記切欠部１１，１４に導かれて前記吸水体５に至り、この吸水体５で吸収されるので、結露水を確実に前記吸水体５まで導いて、熱い結露水が勢いよく噴出して顔等にかかることを抑制することができる。また、前記切欠部１１，１４によって、前記吸水体５に導かれる結露水の量が多くなるので、結露水の発生が多くなっても、確実に前記吸水体５に結露水を吸水させることができる。更に、前記切欠部１１，１４においても結露水を保持することができるので、熱い結露水が噴出することをより確実に抑制することができる。
【００２８】
また、本発明は、前記スチーム経路の最狭部１６が筒状のスリーブ３で構成されると共に、このスリーブ３に隙間部としての切欠部１４が形成されることで、間隙寸法の小さな切欠部１４を容易に構成することができる。
【００２９】
また、本発明は、前記切欠部１４がスリット形状とされることで、前記最狭部１６の内壁に沿って前記切欠部１４に導かれる結露水を、効率的に前記導水体４の導水部１７，１８に沿わせることができるので、結露水を確実に前記吸水体５まで導くことができる。
【００３０】
更に、本発明は、前記切欠部１４が毛細管現象を生じる寸法とされることで、前記切欠部１４に導かれた結露水を確実に前記吸水体５まで導くことができる。
【００３１】
次に、本発明の第二の実施形態について、図４及び図５に基づいて説明する。なお、本実施形態において、図５（ａ）の左側を前、右側を後と規定する。２１は本発明のスチームノズルである。このスチームノズル２１は、ノズル本体２２と、スリーブ２３と、導水体４と、吸水体５と、スチームパイプ６とを有する。なお、このスチームパイプ６は、図示しないスチーム発生手段に接続される。そして、前記スチーム発生手段が発生させたスチームが、前記スチームノズル２１内に設けられたスチーム通路Ｐ’を通過して噴出される。
【００３２】
前記ノズル本体２２は、合成樹脂によって形成される。そして、前記ノズル本体２２は、後側の径小部２７と、前側の径大部２８と、これら径小部２７と径大部２８との間に設けられる段差部２９とを有する。前記径小部２７は、軸方向両端が開放した短円筒状に形成される。そして、前記径小部２７の内面には、フランジ状の位置決めリブ３０が形成される。なお、この位置決めリブ３０の下部には、隙間部としての凹状の溝部３１が形成される。ここで言う凹状とは、第一の実施形態のスリット状とは異なり、一部が繋がった状態で凹んだ形状を指す。即ち、前記位置決めリブ３０は、その下部において、一部が繋がる。更に、前記位置決めリブ３０の中央部には、スチームの通孔３２が形成される。そして、前記溝部３１と通孔３２は繋がる。また、前記径大部２８は、前記径小部２７よりも径大で且つ軸方向両端が開放した短円筒状に形成される。そして、前記径大部２８の前端が噴出口３３となる。更に、前記段差部２９は、前記径小部２７の前端から外側に、且つ前記径大部２８の後端から内側に、フランジ状に突出して形成される。
【００３３】
前記スリーブ２３は、真鍮等の金属により、軸方向両端が開放した略円筒状に形成されると共に、前記径小部２７に挿入される。そして、前記スリーブ２３の後端は、前記位置決めリブ３０に当接して位置決めされる。この状態で、前記スリーブ２３の前端は、前記径小部２７の前端とほぼ同じ位置にある。また、前記スリーブ２３の内面下部には、隙間部としての凹状の溝部３４が形成される。この溝部３４は、前記スリーブ２３の軸方向と平行に形成される。また、前記スリーブ２３は、第一の実施形態とは異なり、前記溝部３４の外周側において一部が繋がる。更に、前記スリーブ２３の中央部には、軸方向に通孔３５が形成される。即ち、前記溝部３４は、前記通孔３５と繋がる。なお、前記位置決めリブ３０の通孔３２と前記スリーブ２３の通孔３５は略同径である。従って、前記通孔３２と通孔３５の位置が、スチーム通路Ｐ’の最狭部３６となる。また、前記位置決めリブ３０の溝部３１と前記スリーブ３２の溝部３４は連通する。
【００３４】
前記導水体４は、前記スチーム通路Ｐ’を通るように取り付けられる。前記導水体４は、前記スリーブ２３の通孔３５、即ち前記最狭部３６の内径よりも細い一本の金属線を折り曲げて形成される。このため、前記導水体４は容易に且つ安価に形成される。そして、前記導水体４は、前記スチーム通路Ｐ’の軸方向とほぼ平行となる直線状の第一導水部１７と、この第一導水部１７の出口側に軸直方向で且つ下方に折り曲げられて形成される直線状の第二導水部１８と、前記第一導水部１７の入口側に下方に折り曲げられて形成される直線状の戻水部１９と、前記第二導水部１８の先端部から前記スチーム通路Ｐの軸回りに延びる環状部２０とを有して構成される。そして、前記第一導水部１７は、前記溝部３１，３４と平行に配される。また、前記第二導水部１８は、前記溝部３４と平行に配される。
【００３５】
前記吸水体５は、フェルト等の吸水性材料で環状に形成されると共に、径大部２８の内側で且つ前記段差部２９の前側に挿入される。なお、この吸水体５の外径は、前記径大部２８の内径とほぼ等しく形成される。また、前記吸水体５の内径は、前記径小部２７の内径よりも大きく形成される。
【００３６】
前記スチームパイプ６は、シリコンゴム等、耐熱性及び可撓性を有する材質で構成される。このように、前記スチームパイプ６が耐熱性及び可撓性を有することで、高温のスチームを通すことが可能となり、また、前記スチームノズル２１の向きを変えることができる。
【００３７】
次に、本実施形態の作用について説明する。まず、図示しないスチーム発生手段によってスチームを発生させると共に、発生したスチームを前記スチーム通路Ｐ’に送る。前記スチームは、前記スチームパイプ６からノズル本体２２の通孔３２、スリーブ３３の通孔３５を通って、前記スチームノズル２１の噴出口３３から前記スチーム通路Ｐ’の中心軸線方向にスチームが噴出する。
【００３８】
前記スチームノズル１からスチームを噴射させ続けると、前記スチーム通路Ｐ’内でスチームが凝縮し、高温で液体状の結露水が発生する。そして、この結露水の水滴が多数結合すると、この水滴が大きく成長し、スチーム流に押し出される虞がある。しかしながら、前記導水体４の第一導水部１７が、最狭部３６である前記位置決めリブ３０の通孔３２の内周面における下側、及び最狭部３６である前記スリーブ２３の通孔３５の内周面における下側に近接しているので、重力によって前記通孔３２，３５の内周面に沿って流下した水滴は、毛細管現象によって、前記溝部３１，３４の縁と前記第一導水部１７とで形成された微小な隙間に広い範囲で吸引保持される。また、結露水は、毛細管現象によって、前記位置決めリブ３０の溝部３１及び前記スリーブ２３の溝部３４にも吸引保持される。この状態では、結露水は、前記スチーム通路Ｐ’の流通面積（前記通孔３２，３５の流通面積）を殆ど狭めないので、スチーム流が結露水を勢いよく押し出すことがない。そして、更に結露水が流下して前記隙間に結露水が溜まると、この溜まった結露水がスチーム流に押されて、前記隙間から押し出される。この押し出された結露水は、前記第一導水部１７に接しているので、この第一導水部１７に沿って前記スリーブ２３（最狭部３６）の前端部から外側に移動する。そして、前記第一導水部１７に沿って外側に移動した結露水は、前記第一導水部１７と一体に設けられた前記第二導水部１８に沿って、下方に、即ち前記吸水体５に向かって流れる。更に、この第二導水部１８に沿って流れた結露水は、前記第二導水部１８と接する前記吸水体５に吸収される。このように、結露水が前記導水体４に沿って前記吸水体５に送られるので、熱い結露水が前記スチームノズル２１の噴出口３３から勢いよく噴出して顔等にかかることを抑制することができる。
【００３９】
なお、前記結露水は、前記溝部３１，３４を経由して前記吸水体５に送られるようにすることもできる。この場合、前記溝部３１，３４の縁と前記第一導水部１７との間の微少な隙間だけでなく、前記溝部３１，３４経由でも結露水を前記吸水体５に送ることができるので、効率よく結露水を前記吸水体５に吸収させることができる。この結果、結露水をより確実に前記スチームノズル２１の噴出口３３から噴出させないようにすることができる。
【００４０】
また、前記吸水体５が吸水能力の限界を超えた場合、吸収しきれなかった結露水が水滴となって前記噴出口３３から噴出する虞があった。しかしながら、前述したように、前記溝部３１，３４に結露水が吸引保持されるので、前記吸水体５が吸水能力の限界を超えた場合、吸収しきれなかった結露水が前記溝部３１，３４に貯められることになる。そして、この溝部３１，３４に保持可能な水量を超えると、結露水は、前記溝部３１を通って前記スチームパイプ６に戻される。なお、前記スチーム通路Ｐ’は、前記位置決めリブ３０及びスリーブ２３の位置において最狭部３６となる、即ちこの最狭部３６において段差状に流通面積が絞られるので、この最狭部３６よりも上流側の水滴が前記最狭部３６を通って前記噴出口３３から噴出することはない。更に、前記溝部３１，３４の縁と第一導水部１７との間の微少な隙間に溜まった結露水は、前記第一導水部１７及び戻水部１９に沿って、前記スチームパイプ６内に戻される。この際、前述したように、前記戻水部１９が下方に曲げられるので、重力によって前記結露水の水滴を確実に前記スチームパイプ６内に戻すことができる。
【００４１】
以上のように本発明は、ノズル本体２２と、このノズル本体２２におけるスチーム通路Ｐ’の最狭部３６の出口側に設けられた吸水体５と、前記スチーム通路Ｐ’の最狭部３６から前記吸水体５へ結露水を導く導水部が設けられた導水体４とを有し、この導水体４が、前記最狭部３６の内径よりも細い金属線を折り曲げて形成され、前記導水部が、第一導水部１７と第二導水部１８を有し、前記第一導水部１７が、前記スチーム通路Ｐ’の内周面における使用時に下側となる部分に沿って前記スチーム通路Ｐ’と平行に配され、前記第二導水部１８が、前記スチーム通路Ｐ’の最狭部３６の出口から使用時に下側となる方向に延びて配されるスチームノズル２１において、前記最狭部３６の内周面における使用時に下側となる部分に隙間部としての凹状の溝部３１，３４が設けられ、これらの溝部３１，３４の近傍に前記導水体４の導水部１７，１８が設けられることで、前記スチーム通路Ｐ’の最狭部３６に発生した結露水が、前記最狭部３６の内壁に沿って流下し、前記溝部３１，３４に導かれて前記吸水体５に至り、この吸水体５で吸収されるので、結露水を確実に前記吸水体５まで導いて、熱い結露水が勢いよく噴出して顔等にかかることを抑制することができる。また、前記溝部３１，３４によって、前記吸水体５に導かれる結露水の量が多くなるので、結露水の発生が多くなっても、確実に前記吸水体５に結露水を吸水させることができる。更に、前記溝部３１，３４においても結露水を保持することができるので、熱い結露水が噴出することをより確実に抑制することができる。
【００４２】
また、本発明は、前記スチーム経路の最狭部３６が筒状のスリーブ２３で構成されると共に、このスリーブ２３に隙間部としての溝部３４が形成されることで、間隙寸法の小さな溝部３４を容易に構成することができる。
【００４３】
また、本発明は、前記溝部３４が凹形状とされることで、前記最狭部３６の強度を保ちつつ、結露水を前記導水体４の導水部１７，１８から前記吸水体５に導くことができる。
【００４４】
更に、本発明は、前記溝部３４が毛細管現象を生じる寸法とされることで、前記溝部３４に導かれた結露水を確実に前記吸水体５まで導くことができる。
【００４５】
なお、本発明は以上の実施形態に限定されるものではなく、発明の要旨の範囲内で種々の変形実施が可能である。例えば、上記各実施形態では、隙間部としての切欠部又は溝部は、単純なスリット又は溝形状であるが、要は結露水を吸引保持できる形状であればよいので、その断面形状は条件を満たす範囲で自由に設定可能である。また、上記各実施形態では、スチーム通路の最狭部をスリーブとし、このスリーブに隙間部を形成したが、ノズル本体にスチーム通路の最狭部を設け、この際狭部に隙間部を形成してもよい。更に、上記各実施形態では導水体に戻水部を形成したが、結露水を確実にスチームパイプに戻すことができるのであれば、必ずしも戻水部は必要ない。
【符号の説明】
【００４６】
１，２１  スチームノズル
２，２２  ノズル本体
３，２３  スリーブ
４  導水体
５  吸水体
１１，３１  切欠部（隙間部）
１４，３４  切欠部（隙間部）
１６，３６  最狭部
１７  第一導水部
１８  第二導水部
Ｐ，Ｐ’  スチーム通路
【図１】
2020195417.tif 000003
【図２】
2020195417.tif 000004
【図３】
2020195417.tif 000005
【図４】
2020195417.tif 000006
【図５】
2020195417.tif 000007
【手続補正書】
【提出日】令和1年6月6日(2019.6.6)
【手続補正２】
【補正対象書類名】明細書
【補正対象項目名】０００２
【補正方法】変更
【補正の内容】
【０００２】
従来、この種のスチームノズルとしては、蒸気発生装置で発生させた蒸気を、ノズルから被施術者の顔に吹き付けるスチーム式美容器等で用いられるものが知られている（例えば、特許文献１参照。）。このようなスチームノズルでは、前記ノズルで蒸気が結露して高温の水滴になり、この水滴が蒸気流と共に前記ノズルから噴出して被施術者の顔にかかる虞があるので、前記ノズルのスチーム通路の出口側に吸水体を設けると共に、前記スチーム通路に水滴を前記給水体に導くための導水体を設け、前記吸水体によって水滴を吸水することで、水滴が前記ノズルから噴出しないように構成されている。
【手続補正３】
【補正対象書類名】明細書
【補正対象項目名】０００４
【補正方法】変更
【補正の内容】
【０００４】
しかしながら、このようなスチームノズルにおいては、前記吸水体に吸収可能な結露水の量に対して、噴出されるスチーム流に押し出される高温の結露水の量が多くなると、前記吸水体に結露水を吸収しきれず、この吸水体を飛び超えて熱い水滴が噴出される虞があった。
【手続補正４】
【補正対象書類名】明細書
【補正対象項目名】０００５
【補正方法】変更
【補正の内容】
【０００５】
本発明は以上の問題点を解決し、結露水を確実に吸水体に吸収させることができる安全なスチームノズルを提供することを目的とする。
【手続補正５】
【補正対象書類名】明細書
【補正対象項目名】０００６
【補正方法】変更
【補正の内容】
【０００６】
本発明の請求項１に記載のスチームノズルは、ノズル本体と、このノズル本体におけるスチーム通路の最狭部の出口側に設けられた吸水体と、前記スチーム通路の最狭部から前記吸水体へ結露水を導く導水部が設けられた導水体とを有し、この導水体が、前記最狭部の内径よりも細い金属線を折り曲げて形成され、前記導水部が、第一導水部と第二導水部を有し、前記第一導水部が、前記スチーム通路の内周面における使用時に下側となる部分に沿って前記スチーム通路と平行に配され、前記第二導水部が、前記スチーム通路の最狭部の出口から使用時に下側となる方向に延びて配されるスチームノズルにおいて、前記最狭部の内周面における使用時に下側となる部分に隙間部が設けられ、この隙間部の近傍に前記導水体の導水部が設けられるものである。
【手続補正６】
【補正対象書類名】明細書
【補正対象項目名】００１０
【補正方法】変更
【補正の内容】
【００１０】
更に、本発明の請求項５に記載のスチームノズルは、請求項１から４のいずれか一項において、前記隙間部が毛細管現象を生じる寸法とされるものである。
【手続補正７】
【補正対象書類名】明細書
【補正対象項目名】００１１
【補正方法】変更
【補正の内容】
【００１１】
本発明の請求項１に記載のスチームノズルは、以上のように構成することにより、前記スチーム通路の最狭部に発生した結露水が、前記最狭部の内壁に沿って流下し、前記隙間部に導かれて前記吸水体に至り、この吸水体で吸収されるので、結露水を確実に前記吸水体まで導いて、熱い結露水が勢いよく噴出して顔等にかかることを抑制することができる。また、前記隙間部によって、前記吸水体に導かれる結露水の量が多くなるので、結露水の発生が多くなっても、確実に前記吸水体に結露水を吸水させることができる。更に、前記隙間部においても結露水を保持することができるので、熱い結露水が噴出することをより確実に抑制することができる。
【手続補正書】
【提出日】令和1年6月14日(2019.6.14)
【手続補正１】
【補正対象書類名】特許請求の範囲
【補正対象項目名】請求項１
【補正方法】変更
【補正の内容】
【請求項１】
ノズル本体と、このノズル本体におけるスチーム通路の最狭部の出口側に設けられた吸水体と、前記スチーム通路の最狭部から前記吸水体へ結露水を導く導水部が設けられた導水体とを有し、この導水体が、前記最狭部の内径よりも細い金属線を折り曲げて形成され、前記導水部が、第一導水部と第二導水部を有し、前記第一導水部が、前記スチーム通路の内周面における使用時に下側となる部分に沿って前記スチーム通路と平行に配され、前記第二導水部が、前記スチーム通路の最狭部の出口から使用時に下側となる方向に延びて配されるスチームノズルにおいて、
前記最狭部の内周面における使用時に下側となる部分に隙間部が設けられ、この隙間部の近傍に前記導水体の導水部が設けられることを特徴とするスチームノズル。